(57)【要約】【課題】失禁パッドを身体の適切な位置にあてがうことのできるショーツの提供。【解決手段】ショーツ１は、横方向Ｂの寸法を二等分する中心線Ｄ−Ｄ上において、頂部２０からショーツ１を折り重ねるときの折曲線５に至るまでの距離Ｈ１に対して、頂部２０から前胴回り部２とクロッチ部４との縫合部位１３に至るまでの距離Ｈ２の割合が３５−５５％の範囲にある。【選択図】図１
2015047314.tif 000002
【特許請求の範囲】
【請求項１】
前胴回り部と後胴回り部とクロッチ部とを有し、前記前胴回り部と前記後胴回り部とが互いの側方部分において縫合され、前記クロッチ部の前端部分が前記前胴回り部に縫合される一方、前記クロッチ部の後端部分が前記後胴回り部に縫合されているショーツであって、
前記ショーツの横方向へ延びる折曲線において前記クロッチ部を折曲して前記前胴回り部と前記後胴回り部との頂部を重ね合わせたときの前記ショーツでは、前記ショーツの前記横方向の寸法を二等分する中心線上において、前記頂部から前記折曲線に至るまでの距離Ｈ１に対しての前記頂部から前記クロッチ部と前記前胴回り部との縫合部位に至るまでの距離Ｈ３の割合が３５−５５％の範囲にあることを特徴とする前記ショーツ。
【請求項２】
前記中心線と前記縫合部位との交差部位は、恥骨および前記恥骨よりも上方のいずれかにある請求項１記載のショーツ。
【請求項３】
前記前胴回り部および前記後胴回り部には前記ショーツの縦方向において弾性的に伸長する弾性生地が使用され、前記クロッチ部には前記ショーツの前後方向においての１０％伸長時の伸長力が前記弾性生地の前記縦方向においての１０％伸長時の伸長力よりも大きい生地が使用されている請求項１または２記載のショーツ。
【請求項４】
前記前胴回り部および前記後胴回り部には前記ショーツの縦方向において弾性的に伸長する弾性生地が使用され、前記クロッチ部には前記弾性生地の１０％伸長時の伸長力では前記ショーツの前後方向へ２％を越えて伸長することのない生地が使用されている請求項１または２記載のショーツ。
【請求項５】
前記クロッチ部の外側には、前記クロッチ部の前記前端部と前記後端部とに縫合されていて、前記前端部分と前記後端部分との間の長さが前記クロッチ部における当該長さよりも短い弾性生地で形成されており、伸長すると前記クロッチ部の当該長さと同じになる第２クロッチ部が形成されている請求項１−４のいずれかに記載のショーツ。
【請求項６】
前記ショーツの内面側では、前記クロッチ部の色が、前記クロッチ部における前記前端部分の視認を容易にすることができるように、前記前胴回り部の色および前記縫合部に使用されている糸の色のうちの少なくとも一つの色と相違している請求項１−５のいずれかに記載のショーツ。
【発明の詳細な説明】
【技術分野】
【０００１】
この発明は、尿失禁の症状がある場合に着用するのに好適なショーツに関する。
【背景技術】
【０００２】
骨盤底筋のゆるみ等に起因する腹圧性尿失禁の症状はよく知られている。また、骨盤底筋にゆるみがある場合に着用するのに好適なパンティやガードルは従来公知ないし周知である。そのような尿失禁にそなえての吸尿パッドを着用することのできるショーツも知られている。
【０００３】
例えば、特開平１０−２９２２０４号公報（特許文献１）に記載の衣類は、尿失禁者を対象とした股部を有する衣類に関し、この衣類のクロッチ部には、人体の恥骨結節部域上端から肛門と尾骨部域の間の点までの長さを有し、繰り返し使用可能な体液吸収部が取り付けられている。
【先行技術文献】
【特許文献】
【０００４】
【特許文献１】特開平１０−２９２２０４号公報（ＪＰ  １９９８−２９２２０４  Ａ）
【発明の概要】
【発明が解決しようとする課題】
【０００５】
失禁患者が着用するものとして、前記従来の衣類の他に、使い捨ての失禁パッド、吸尿パッドはよく知られている。また、使い捨ての失禁パッドには吸尿能力やサイズの異なる種々のものが市販されている。それゆえ、失禁患者にとっては自分にとって最適のものを選んで着用することが快適な日々を過ごすことにつながる。しかし、そのような失禁パッドであっても、それを身体の適切な位置にあてがうことができなければ、失禁パッドとして十分な機能を発揮することができない。例えば、生理用ショーツと失禁パッドとを組合わせて使用することはできるのだが、生理用ショーツは生理用パッドを膣口にあてがうことを目的にするものであるから、失禁パッドを身体の適切な位置にあてがうために好ましいものであるとはいい難い。
【０００６】
そこで、この発明は、失禁パッドを身体の適切な位置にあてがうことができるように改良されたショーツの提供を課題にしている。
【課題を解決するための手段】
【０００７】
前記課題を解決するために、この発明が対象とするのは、前胴回り部と後胴回り部とクロッチ部とを有し、前記前胴回り部と前記後胴回り部とが互いの側方部分において縫合され、前記前記クロッチ部の前端部分が前記前胴回り部に縫合される一方、前記クロッチ部の後端部分が前記後胴回り部に縫合されているショーツである。
【０００８】
このショーツにおいて、この発明が特徴とするところは、次のとおりである。前記ショーツの横方向へ延びる折曲線において前記クロッチ部を折曲して前記前胴回り部と前記後胴回り部との頂部を重ね合わせたときの前記ショーツでは、前記ショーツの前記横方向の寸法を二等分する中心線上において、前記頂部から前記折曲線に至るまでの距離Ｈ１に対しての前記頂部から前記クロッチ部と前記前胴回り部との縫合部位に至るまでの距離Ｈ３の割合が３５−５５％の範囲にある。
【発明の効果】
【０００９】
この発明に係るショーツは、前胴回り部とクロッチ部の前端部分とが縫合される位置を規定することによって、その位置が恥骨および恥骨よりも上方のいずれかにあるから、失禁パッドの前端部分とクロッチ部の前端部分との位置を合わせた状態でショーツを着用すると、失禁パッドを確実に尿道口にあてがうことができる。
【図面の簡単な説明】
【００１０】
以下の図面は、この発明の特定の実施の形態を示しているが、発明に不可欠な構成の他に、この発明において選択的に使用することのできる構成およびこの発明においての好ましい実施の形態を含んでいる。
【図１】（ａ）と（ｂ）とによって、この発明に係るショーツの外面側を示す図。（ａ）は主として前胴回り部を示し、（ｂ）は主として後胴回り部を示す。
【図２】（ａ）と（ｂ）とによって、この発明に係るショーツの内面側を示す図。（ａ）は主として前胴回り部を示し、（ｂ）は主として後胴回り部を示す。
【図３】図１のＩＩＩ−ＩＩＩ線切断面の模式図。
【図４】実施態様の一例を示す図３と同様な図。
【発明を実施するための形態】
【００１１】
添付の図面を参照して、この発明に係るショーツの詳細を説明すると、以下のとおりである。
【００１２】
図１の（ａ）において、ショーツ１は、前胴回り部２と、後胴回り部３と、クロッチ部４とを有し、前胴回り部２と後胴回り部３とによって胴回り開口１ａが形成され、前胴回り部２と後胴回り部３とクロッチ部４とによって一対の脚回り開口１ｂが形成されている。ショーツ１はまた、互いに直交する縦方向Ａと横方向Ｂと前後方向Ｃ（図３参照）とを有し、横方向Ｂの寸法を二等分する線Ｄ−Ｄに関して対称に作られている。ただし、図１におけるショーツ１では、前胴回り部２と後胴回り部３との後記頂部２０が重なり合うように、クロッチ部４が横方向Ｂへ延びる折曲線５に沿って折り重ねてある。ショーツ１において、着用者(図示せず)の肌に対向する面は内面であり、着衣に対向する面は外面である。なお、この発明に係るショーツは、着用者の腰部に密着して、その腰部を覆う脚部のない下着であって、ブリーフと呼ばれたりアンダーパンツと呼ばれたりすることもある。
【００１３】
前胴回り部２と後胴回り部３とは、縦方向Ａと横方向Ｂとに弾性的に伸長可能な弾性生地、例えばポリウレタン繊維を含んだツーウェイストレッチ生地であるベア天竺によって形成されている。すなわち、この場合の弾性生地は、前胴回り部２と後胴回り部３それぞれのほぼ全体に広がる身生地１１，１２となるものである。図示例において、前胴回り部２の幅（横方向Ｂの寸法）は、後胴回り部３の幅よりもやや狭く、図１の（ａ）には前胴回り部２と後胴回り部３との縫合線６が見えている。ショーツ１において、縫合線６に沿う部分は着用者（図示せず）の脇部を覆う部分７である。ショーツ１の最上部である前胴回り部２と後胴回り部３との頂部２０には、胴回り開口１ａを周回するウエストベルト部２１が形成されている。ウエストベルト部２１は、横方向Ｂへ弾性的に伸長、収縮可能であって、折曲線５に一致するクロッチ部４の最下端部４ｂからの縦方向Ａにおける距離Ｈ０が着用者の腸骨の上方に届く長さにあって、着用したショーツ１のずり下がりを防ぐことができる。好ましいショーツ１の一例において、ウエストベルト部２１の縦方向Ａの寸法であるウエストベルト部２１の幅は２−２５ｍｍの範囲内にある。
【００１４】
クロッチ部４は、その外面の全体を形成する身生地として、横方向Ｂと前後方向Ｃとに非伸長性の生地４ａが使用されていて、前端部分４ｃが縫糸（図示せず）によって形成されている縫合線１３において前胴回り部２に縫合されている。
【００１５】
図１の（ｂ）において、後胴回り部３は、横方向Ｂの中央に位置する中央部分３Ｃと、中央部分３Ｃの左側方に位置する左臀部３Ｌと、中央部分３Ｃの右側方に位置する右臀部３Ｒとに区分されている。中央部分３Ｃには、ショーツ着用者の臀裂（図示せず）を覆うことができるだけの幅、好ましくは少なくとも２０ｍｍの幅を有して縦方向Ａへ延びる下方部位１７ａと上方部位１７ｂとが形成されている。下方部位１７ａは、縦方向Ａにおいて非伸長性である生地、例えばポリエステル繊維製のマーキゼットによって形成されていて、弾性的にも、非弾性的にも伸長することがないか、伸長するにしても身生地１１や１２に比べると、極めて僅かである。下方部位１７ａが伸長することがないというときには、クロッチ部４を前後方向Ｃへ１０％伸長するときの伸長力が身生地１１および１２を縦方向Ａへ１０％伸長させるときの伸長力よりも大きいことを意味している。また、下方部位１７ａが身生地１１および１２に比べて僅かに伸長するというときには、身生地１１および１２の長さを縦方向Ａへ１０％伸長させるときの伸長力で下方部位１７ａが伸長する量は２％を越えることがないことを意味している。上方部位１７ｂは、縦方向Ａにおいて弾性的に伸長可能な生地、例えばポリウレタン繊維を９−１１質量％含むモダール天竺またはベア天竺によって形成されていて、着用後のショーツ１において縦方向Ａへ弾性的に伸長、収縮可能である。下方部位１７ａは、縫合線１４においてクロッチ部４の後端部分４ｄに縫合され、縫合線１９によって上方部位１７ｂに縫合されている。下方部位１７ａと上方部位１７ｂとは、一対の縫合線１８によって、後胴回り部３における左臀部３Ｌと右臀部３Ｒとに縫合されている。なお、この発明においての左と右とは、ショーツ１を着用後の着用者（図示せず）にとっての左と右とを意味している。図１の（ｂ）のクロッチ部４では、後端部分４ｄが縫合線１４において後胴回り部３に縫合されている。
【００１６】
このように形成されているショーツ１の縦方向Ａにおいて、ショーツ１の頂部２０と最下端部４ｂとの間の距離はＨ１であり、頂部２０と縫合線１９との間の距離、すなわち上方部位１７ｂが下方部位１７ａに縫合される縫合線１９と頂部２０との間における上方部位１７ｂの長さはＨ２である。好ましいショーツ１において、距離Ｈ２は距離Ｈ１の６０−４０％の範囲となるように設定されている。なお、距離Ｈ２は、縦方向Ａに幅を有する縫合線１９の幅を含む値である。また、中心線Ｄ−Ｄにおいて、頂部２０から縫合線１３までの距離はＨ３（図１の（ａ）参照）である。その距離Ｈ３は、縫合線１３の幅を含んで測定される値であって、距離Ｈ１の３５−５５％の範囲にあり、好ましくは中心線Ｄ−Ｄと縫合線１３との交差部位１３ａ（図１の（ａ）参照）が恥骨または恥骨の上方に位置するように定められる。距離Ｈ３の割合が距離Ｈ１の３５％未満であると、着用者の腹部を覆うクロッチ部４の面積が多くなり、腹圧を逃すことが難しくなる。ショーツ１の横方向Ｂにおいて、縫合線１４の両端部によって規定されるクロッチ部４の後端部分４ｄの幅はＷ１であり、縫合線１４と交差している下方部位１７ａの幅はＷ２である。また、下方部位１７ａと上方部位１７ｂとの縫合線１９に沿う幅はＷ３である。好ましいショーツ１において、幅Ｗ２は、幅Ｗ１よりも小さく、かつ幅Ｗ３よりも大きくなるように設定されている。また、幅Ｗ３の値は、好ましくは２０ｍｍよりも大きい。
【００１７】
図２は、図１のショーツ１を裏返すことによってショーツ１の内面を示す図であるが、（ａ）は主として前胴回り部２の内面を示す部分判断図であり、（ｂ）は主として後胴回り部３の内面を示す図である。
【００１８】
図２の（ａ）においては、ショーツ１の脇部を覆う部分７のうちで前胴回り部２に属する部分７ａには、ショーツ１の第１当て布３１として前胴回り部２における身生地１１よりも伸長力の大きい生地、例えば一枚のパワーネットが縫合線６と縫合線３２，３３（図２の（ｂ）参照），３４とにおいて前胴回り部２に縫合されている。縫合線３２は、ウエストベルト部２１を形成するためのもので、前胴回り部２の身生地１１とそれを内面側に折り返した部分の生地との重ね合わせ、および後胴回り部３の身生地１２とそれを内面側に折り返した部分の生地との重ね合わせに対して形成されている。縫合線３４は、第１当て布３１を前胴回り部２に縫合するためのものである。脇部を覆う部分７のうちで後胴回り部３に属する部分７ｂには、ショーツ１における第２当て布３６として後胴回り部３における弾性生地よりも伸長力の大きい生地、例えば二枚重ねにしてあるパワーネットが縫合線６と縫合線３２，３３とにおいて後胴回り部３に縫合されている。第１当て布３１と第２当て布３６とは、ウエストベルト部２１の内側にまで延びていて、前胴回り部２の身生地１１または後胴回り部３の身生地１２によってサンドウィッチされている。
【００１９】
クロッチ部４は、互いに重なり合う内面シート５１、中間シート５２、外面シート５３（図１を併せて参照）によって形成されている。クロッチ部４の一例において、着用者の肌と向かい合う内面シート５１は、非伸長性であるかまたは容易に伸長することのないシート、より好ましくは非伸長性で不透水性のシートによって形成されていて、ショーツ１と併用する場合の失禁パッドや吸尿パッド（図示せず）を重ね合わせるのに適している。中間シート５２は、クロッチ部４を曲げ剛性の高いものにして、失禁パッド等の取り付けを容易にする他に、着用者の骨盤底筋を下方から支えるように作用する。中間シート５２は、ショーツ１の前後方向Ｃにおいて非伸長性の生地であるか容易には伸長することのない生地、例えばショーツ１のうちでも比較的大きい伸長力を有するパワーネットで形成される。外面シート５３は、内面シート５１や中間シート５２とともに、クロッチ部４を非伸長性または容易に伸長することのないものにする他に、失禁パッド等における粘着性のウイング部分（図示せず）をクロッチ部４に剥離可能に止着することができるようにするためのものであって、それには例えばポリエステル繊維で形成されたマーキゼットが使用される。なお、クロッチ部４が内面シート５１と外面シート５３とだけでも骨盤底筋を支えることができたり、失禁パッドの取り付けを容易にしたりすることができる場合には、中間シート５２の使用を省くことができる。また、クロッチ部４の他の一例において、内面シート５１は着用者の肌に接触させることを予定して、吸水性や吸湿性のシートで作ることができる。中間シート５２と外面シート５３とは、吸水性や吸湿性のシートで作ることもできれば不透水性のシートで作ることもできる。吸水性や吸湿性のシートには、例えば綿布やベルオアシス（登録商標）等を使用することができる。不透水性シートには、熱可塑性合成繊維製の織布や熱可塑性合成樹脂製のフィルムとを使用することができる。
【００２０】
図２の（ｂ）において、後胴回り部３には、身生地１２のためのツーウェイストレッチ生地として、横方向Ｂにおける伸長力がベア天竺の伸長力よりも大きいＣＳＹ天竺を使用することもできる。また、後胴回り部３の左臀部３Ｌと右臀部３Ｒとのそれぞれでは、ウエストベルト部２１に沿って横方向Ｂへ延びる部分に対する当て布として、後胴回り部３における身生地１２よりも伸長力の大きい生地、例えば一枚のパワーネット６１が縫合線６，１８，３２，６２において縫合されている。そのパワーネット６１は、ウエストベルト部２１に進入している。身生地１２に対して形成されている縫合線６２は、縫合線６（図２の（ａ）参照）と縫合線１８との間にあって上方に向かって凸となるような弧を画いていて、縫合線１９につながっている。また、クロッチ部４の後端部分４ｄから脇部を覆う部分７ｂの下端部６３に至るまでの着用者の臀溝に沿う臀溝部分３５と、その下端部６３からウエストベルト部２１に至るまでの脇部を覆う部分７ｂとには、当て布として身生地１２よりも伸長力の大きい、例えば二枚重ねのパワーネット６４が縫合線６（図２（ａ）参照），１８，３３，６６によって身生地１２に縫合されている。縫合線６６は、縫合線１８と縫合線３２との間にあって、弧を画いて延びている。
【００２１】
後胴回り部３ではまた、中心線Ｄ−Ｄに沿って縦方向Ａへ延びる非伸長性の下方部位１７ａが縫合線１４においてクロッチ部４に縫合されている。また、中心線Ｄ−Ｄに沿って縦方向Ａへ延びる上方部位１７ｂは、上端部６８ａが縫合線３２においてウエストベルト部２１に縫合され、下端部６８ｂが縫合線１９において下方部位１７ａに縫合されている。上方部位１７ｂは縦方向Ａと横方向Ｂとのうちの少なくとも縦方向Ａにおいて弾性的に伸長可能な生地、例えば後胴回り部３の身生地１２の共布よって形成されている。
【００２２】
図３は、図１の（ａ）におけるＩＩＩ−ＩＩＩ線切断面を示す模式図であって、ＩＩＩ−ＩＩＩ線は中心線Ｄ−Ｄに一致している。なお、図１，２では前胴回り部２と後胴回り部３とが重なり合う状態にあったが、図３では、クロッチ部４を明示することができるように、前胴回り部２と後胴回り部３とがショーツ１の前後方向において離間させてある。また、クロッチ部４では、内面シート５１、中間シート５２、外面シート５３の図示が省略されている。
【００２３】
クロッチ部４は、着用者の腹部を圧迫することがないように、前胴回り部２に対する縫合線１３（図１の（ａ）参照）が恥骨に相当する位置、または恥骨の上方に相当する位置にあることが好ましい。そのようなクロッチ部４はまた、恥骨と肛門との間、より好ましくは恥骨から尾骨までの間に延びていると、着用者の身体に密着したときに骨盤底筋を押し上げるように支えて、緩んでいる骨盤底筋であってもそれが収縮することを可能にする。そのようなクロッチ部４の前端部分４ｃに対して体液吸収性のパッド、例えば失禁パッドや生理用パッドの前端部分の位置を合わせるようにしてパッドをクロッチ部４に載せておくと、恥骨下方に位置する尿道口と膣口とにそのパッドを確実にあてがうことが可能になる。失禁パッドの前端部分とクロッチの前端部分４ｃとのこのような位置合わせを容易にするために、ショーツ１の内面では、少なくとも縫合線１３の近傍において、前胴回り部２の色と、クロッチ部４の色と、縫合線１３を形成している縫糸（図示せず）の色とのうちの少なくとも二つの色の間に明瞭な違いをつけることによって、前端部分４ｃの視認を容易にし、着用者が失禁パッドの前端部分をクロッチ部４の前端部分４ｃにスピーディに載せられることが好ましい。なお、色の間に明瞭な違いをつけるというときの違いには、無彩色と有彩色との違い、無彩色における明度の違い、有彩色における明度、彩度および色相の違いが含まれる。ただし、この発明が目的とするところは、その違いをつけるための手段を特定することではなく、ショーツ１の内面においてクロッチ部４の前端部分４ｃを容易に見出すことのできる状態を作り出すことにある。
【００２４】
このように形成されているショーツ１では、クロッチ部４の最下端部４ｂからショーツ１のウエストベルト部２１までの距離Ｈ０（図１の（ｂ）参照）を調整して、ウエストベルト部２１が腸骨の上方に位置するようにすることによって、より好ましくは腸骨稜に上方から当たるような位置にあることによって、クロッチ部４がずり下がることなく、身体に対して密着している状態を維持することができる。そのようなクロッチ部４はまた、後端部分４ｄが非伸縮性であって縦方向Ａの下方に向かって幅が次第に大きくなる後胴回り部３の下方部位１７ａにつながっていて、その下方部位１７ａの幅Ｗ２はクロッチ部４の幅Ｗ１よりも小さく（図１の（ｂ）参照）、ショーツ１を引き上げるときの力がクロッチ部４の横方向Ｂにおける中央部分に集中するようになっている。それゆえ、クロッチ部４に取り付けた失禁パッドはその幅方向の中央部分が身体に密着し続けることになる。クロッチ部４とウエストベルト部２１とが身体に密着している状態のショーツ１では、身体の動きに伴ってウエストベルト部２１にそれをずり下げる方向の力が作用したときには、中央部分３Ｃのうちの上方部位１７ｂが弾性的に伸長したり収縮したりするので、中央部分３Ｃによって肌をこすることが少なくなる。また、前胴回り部２に腹圧が作用したときには、前胴回り部２の身生地１１が弾性的に伸長するので、身生地１１がクロッチ部４を前方へ動かしてクロッチ部４が股部の肌をこするということもない。それゆえ、ショーツ１は、それを着用しているときに肌をこすることが少なくて、着用感のよいものになる。
【００２５】
ショーツ１ではさらにはまた、後胴回り部３におけるウエストベルト部２１の横方向Ｂへの伸長力が、前胴回り部２におけるウエストベルト部２１の横方向Ｂへの伸長力よりも大きくなるように形成されていることによって、ショーツ着用者の腹圧が前胴回り部２を前方へ押しやるように作用して骨盤を押し下げるように作用することが抑えられ、その結果として、ショーツ１は骨盤底筋の緩みに起因する腹圧性失禁を防止できるという効果を奏する。横方向Ｂにおいて、前胴回り部２におけるウエストベルト部２１の伸長力と後胴回り部３におけるウエストベルト部２１の伸長力とに差を持たせるには、図示例の如く、後胴回り部３において使用しているパワーネット６１や６４を身生地１２とともにウエストベルト部２１の構成材料として使用すればよい。そのようなウエストベルト部２１では、ウエストベルト部２１を形成しているシート状部材の重なり合う枚数が前胴回り部２におけるよりも後胴回り部３における枚数が多くなっている。なお、ウエストベルト部２１は、横方向Ｂにおける弾性的な伸長力の大きさを調整するために、胴回り開口１ａを周回する帯状ゴムを含むものであってもよい。ショーツ１はまた、前胴回り部２に使用している身生地１１の横方向Ｂにおける伸長力よりも後胴回り部３に使用している身生地１２の横方向Ｂにおける伸長力の方が大きくなるように作られる高くすることによっても、腹圧を着用者の前方へ逃がすことができる。身生地１１にベア天竺を使用し、身生地１２にＣＳＹ天竺を使用するのは、その一例である。
【００２６】
着用したショーツ１ではさらにまた、臀溝を覆う部分３５に縫合されている伸長力の高い二枚重ねのパワーネット６４が臀溝に沿って、好ましくは弾性的に伸長した状態で骨盤を臀部の下方から支えることができる。また、脇部を覆う部分７ｂに縫合されている伸長力の高い二枚重ねのパワーネット６４は、骨盤を側方から支えて、骨盤の側方へ広がろうとする動きを抑えることができる。骨盤がこのように支えられることによって、骨盤底筋は収縮することが容易になる。さらには、前胴回り部２のうちで着用者の腹部を覆う部分である中央部分２ａ（図１（ａ）参照）、具体的には恥骨よりも上方にあって左右の腸骨の間にある中央部分２ａが二方向へ弾性的に伸張する身生地１１のみで形成されていることによって、着用者が重い荷物を持ったとき等に生じる腹圧は、それを中央部分２ａからショーツ１の外側に向かって逃がし、クロッチ部４が前後方向Ｃへ動いて股部の肌をこするということや腹圧が骨盤底筋を押し下げるように作用することを防ぐことができる。骨盤がこのように支えられたり、腹圧をこのように逃がしたりすることができることによって、ゆるんでいる骨盤底筋であっても膀胱や尿道を支えることができるようになり、その結果として尿道が締まるようになるから、着用者が咳をしたり、重い荷物を持ったりして腹圧がかかったときに生じ易い尿失禁を防ぐことができる。
【００２７】
すなわち、このショーツ１は、妊娠や出産、肥満等が原因となって骨盤底筋がゆるんで膀胱や尿道が下がってしまい、咳をしたり、重い荷物を持ったりして腹圧がかかったときには尿道をうまく締めることができず、尿が漏れ易いという場合において、特に優れた効果を発揮することができる。加えて、クロッチ部４には失禁パッド(図示せず)を予め取り付けておくことによって、失禁パッドを身体に密着させることができ、尿が漏れたときのそなえにすることができる。
【００２８】
図４は、実施態様の一例を示す図３と同様な図である。ただし、図４のショーツ１では、クロッチ部４の外側に弾性帯である第２クロッチ部４１が取り付けられている。第２クロッチ部４１は、クロッチ部４の前端部分４ｃと後端部分４ｄとにおいてのみクロッチ部４に縫合されていて、前後方向Ｃにおいて、弾性的に伸長、収縮することが可能なもので、図では収縮した状態にある。その状態にある第２クロッチ部４１の前後方向Ｃにおける長さＱはクロッチ部４の長さＰよりも短いが、伸長したときの長さはクロッチ部４の長さと同じになるか、クロッチ部４の長さよりも長くなる。第２クロッチ部４１の幅（図示せず）は、クロッチ部４の幅と同じであるか、クロッチ部４の幅よりも小さい。それゆえ、図では収縮した状態にあって、弧を画いている第２クロッチ部４１に対して、第２クロッチ部４１よりも長さの長い図３のクロッチ部４は、例えば図示の如く折れ曲がり、前胴回り部２と後胴回り部３とは図３における場合よりも互いに接近した状態にある。
【００２９】
このショーツ１を着用すると、第２クロッチ部４１が前後方向Ｃにおいて伸長することに伴い、クロッチ部４も前後方向Ｃにおいて緊張状態になる。クロッチ部４に取り付けた失禁パッド（図示せず）は、緊張状態にあるクロッチ部４と第２クロッチ部４１とに支えられた状態で尿道口と膣口とに密着することが可能である。
【００３０】
ショーツ１の一例において、ベア天竺には、８９質量％の綿糸と、１１質量％のウレタン糸とを含み、１ｍ２当たりの質量が１５０−１６０ｇのものを使用することができる。ＣＳＹ天竺には、５６質量％のレーヨン糸と、３５質量％の綿糸と、９質量％のウレタン糸とを含み、１ｍ２当たりの質量が１６５−１７５ｇのものを使用することができる。サテンには、１００質量％のポリエステル糸で形成され、１ｍ２当たりの質量が１５５−１６５ｇのものを使用することができる。パワーネットには、８２質量％のナイロン糸と、１８質量％のウレタン糸とを含み、１ｍ２当たりの質量が１４５−１５５ｇのものを使用することができる。クロッチ部４における内面シート５１には１００質量％のポリエステル糸で形成され、１ｍ２当たりの質量が１０５−１１５ｇのものを使用することができる。外面シート５３には、１００質量％のポリエステル糸で形成され、１ｍ２当たりの質量が５５−６５ｇのマーキゼットを使用することができる。
【００３１】
この発明において、前胴回り部２や後胴回り部３、クロッチ部４においての縦方向Ａまたは横方向Ｂの伸長力を比較するには、次のようにする。すなわち、伸長すべき方向の寸法が４０ｍｍ、その方向に直交する方向の寸法が５ｍｍの矩形の試片を各部から採取し、引張り試験機におけるチャック間距離が３０ｍｍとなるように前記試片の長さ方向の両端部を５ｍｍずつ把持して伸長すべき方向へ５０ｍｍ／ｍｉｎの速度で引っ張ったときの３％伸長時または１０％伸長時、すなわち引っ張る前の長さよりも３％または１０％だけ長くなったときにおける伸長力をもって比較する。
【００３２】
また、前胴回り部２に位置するウエストベルト部２１と後胴回り部３に位置するウエストベルト部２１との横方向Ｂにおける伸長力を比較するには、次のようにする。すなわち、ショーツ１において、縫合線３２の下方２−３ｍｍの位置でウエストベルト部２１を切り離す。切り離したウエストベルト部２１は、縫合線６において前胴回り部分と後胴回り部分とに切り分けて各部分の試片とする。各試片は、引張り試験機のチャック間に位置させる長さが同じとなるように、好ましくは少なくとも１５０ｍｍとなるように横方向Ｂにおける両端部分それぞれをチャックにつかませて、５０ｍｍ／ｍｉｎの速度で引っ張る。チャック間の試片の長さをＬ０とし、その長さＬ０が１０％長くなったときの伸長力をもって、各部分の伸長力を比較する。
【００３３】
以上に記載したこの発明に関する開示は、少なくとも下記事項に整理することができる。
【００３４】
前胴回り部と後胴回り部とクロッチ部とを有し、前記前胴回り部と前記後胴回り部とが互いの側方部分において縫合され、前記前記クロッチ部の前端部分が前記前胴回り部に縫合される一方、前記クロッチ部の後端部分が前記後胴回り部に縫合されているショーツであって、
前記ショーツの横方向へ延びる折曲線において前記クロッチ部を折曲して前記前胴回り部と前記後胴回り部との頂部を重ね合わせたときの前記ショーツでは、前記ショーツの前記横方向の寸法を二等分する中心線上において、前記頂部から前記折曲線に至るまでの距離Ｈ１に対しての前記頂部から前記クロッチ部と前記前胴回り部との縫合部位に至るまでの距離Ｈ３の割合が３５−５５％の範囲にあることを特徴とする前記ショーツ。
【００３５】
上記段落に開示したこの発明は、少なくとも下記の実施の形態を含むことができる。これらの実施の形態は、分離して又は互いに組み合わせて採択することができる。
（１）前記中心線と前記縫合部位との交差部位は、恥骨および前記恥骨よりも上方のいずれかにある。
（２）前記前胴回り部および前記後胴回り部には前記ショーツの縦方向において弾性的に伸長する弾性生地が使用され、前記クロッチ部には前記ショーツの前後方向においての１０％伸長時の伸長力が前記弾性生地の前記縦方向においての１０％伸長時の伸長力よりも大きい生地が使用されている。
（３）前記前胴回り部および前記後胴回り部には前記ショーツの縦方向において弾性的に伸長する弾性生地が使用され、前記クロッチ部には前記弾性生地の１０％伸長時の伸長力では前記ショーツの前後方向へ２％を越えて伸長することのない生地が使用されている。
（４）前記クロッチ部の外側には、前記クロッチ部の前記前端部と前記後端部とに縫合されていて、前記前端部分と前記後端部分との間の長さが前記クロッチ部における当該長さよりも短い弾性生地で形成されており、伸長すると前記クロッチ部の当該長さと同じになる第２クロッチ部が形成されている。
（５）前記ショーツの内面側では、前記クロッチ部の色が、前記クロッチ部における前記前端部分の視認を容易にすることができるように、前記前胴回り部の色および前記縫合部に使用されている糸の色のうちの少なくとも一つの色と相違している。
【符号の説明】
【００３６】
１    ショーツ
２    前胴回り部
３    後胴回り部
４    クロッチ部
４ｃ    前端部分
４ｄ    後端部分
５    折曲線
１３    縫合部
１３ａ    交差部位
２１    ウエストベルト部
２０    頂部
４１    第２クロッチ部
Ａ    縦方向
Ｂ    横方向
Ｃ    前後方向
Ｄ−Ｄ    中心線
【図１】
2015047314.tif 000003
【図２】
2015047314.tif 000004
【図３】
2015047314.tif 000005
【図４】
2015047314.tif 000006